(57)【要約】【課題】電気掃除機の吸込具本体の長手方向の両端部と吸込口の長手方向の両端部との間の塵埃取り残しを低減する電気掃除機の吸込具を提供する。【解決手段】吸込具本体２１の下面側に形成された主吸込口２５と、主吸込口２５と主風路を介して連通し、風下側に配置される排出部２２と、吸込具本体２１の下面側に形成され、少なくとも一部が主吸込口２５の長手方向の端部よりも長手方向の外側に形成され、主風路とは別の副風路を介して排出部２２と連通する副吸込口２６とを備えた。【選択図】          図３
2020000563.tif 000002
【特許請求の範囲】
【請求項１】
吸込具本体と、
前記吸込具本体の下面側に形成された主吸込口と、
前記主吸込口と主風路を介して連通し、風下側に配置される排出部と、
前記吸込具本体の下面側に形成され、少なくとも一部が前記主吸込口の長手方向の端部よりも長手方向の外側に形成され、前記主風路とは別の副風路を介して前記排出部と連通する副吸込口と、
を備えた電気掃除機の吸込具。
【請求項２】
前記副吸込口は、前記主吸込口に対し、前記主吸込口の短手方向の一側に配置されることを特徴とする請求項１記載の電気掃除機の吸込具。
【請求項３】
前記副吸込口は、前記主吸込口の長手方向の両側に複数形成されることを特徴とする請求項１または２記載の電気掃除機の吸込具。
【請求項４】
前記副風路の断面積は前記副吸込口の入口面積以上であることを特徴とする請求項１から３のいずれか１項に記載の電気掃除機の吸込具。
【請求項５】
前記副吸込口または前記副吸込口の下流側の近傍に粗大ごみ侵入防止部材を配置したことを特徴とする請求項１から４のいずれか１項に記載の電気掃除機の吸込具。
【請求項６】
前記副風路は、前記吸込具本体の上面とこの上面を覆う風路カバーとで構成したことを特徴とする請求項１から５のいずれか１項に記載の電気掃除機の吸込具。
【請求項７】
前記風路カバーは前記吸込具本体の上面から着脱自在に構成されることを特徴とする請求項６記載の電気掃除機の吸込具。
【請求項８】
前記副吸込口から上方に連なり、前記吸込具本体の外部に露出する部分に保護部を設けたことを特徴とする請求項１から６のいずれか１項に記載の電気掃除機の吸込具。
【請求項９】
前記保護部の下端で外部に露出する側をＣ面で形成したことを特徴とする請求項８記載の電気掃除機の吸込具。
【請求項１０】
前記保護部を軟質材で構成したことを特徴とする請求項８記載の電気掃除機の吸込具。
【請求項１１】
前記保護部に下端から上方向に延びる溝またはスリットを形成したことを特徴とする請求項８記載の電気掃除機の吸込具。
【請求項１２】
前記保護部にホイールを設けたことを特徴とする請求項８記載の電気掃除機の吸込具。
【請求項１３】
回転ブラシと、
前記回転ブラシを収容する回転ブラシ室と、
前記回転ブラシ室の風下側に仕切り壁とをさらに備え、
前記主吸込口及び前記副吸込口は、前記仕切り壁の風下側で前記排出部と連通することを特徴とする請求項１から１２のいずれか１項に記載の電気掃除機の吸込具。
【請求項１４】
請求項１から１３のいずれか１項に記載の電気掃除機の吸込具と、
吸引風を発生する電動送風機と、前記電動送風機が発生する吸引風により前記電気掃除機の吸込具を経由して吸い込まれた塵埃を集塵する集塵部とを備える電気掃除機本体と、  を備えた電気掃除機。
【発明の詳細な説明】
【技術分野】
【０００１】
本発明は電気掃除機の吸込具、詳しくは複数の吸込口を備えた吸込具とこの吸込具を備えた電気掃除機に関する。
【背景技術】
【０００２】
電気掃除機の吸込具は、被清掃面と対向する吸込具本体の下面側に、塵埃を含む空気を吸い込むための吸込口が設けられている。しかし、吸込具本体の意匠面を構成する部品、又は吸込具本体に収容される回転ブラシを保持する保持部品等、吸込口の外周に配置される部品により、吸込口の周辺部は開口していないため塵埃を吸い込むことが困難である。このため、特に、壁際の清掃をする場合、壁際の塵埃が吸込まれないことがある。
【０００３】
そこで、壁際の塵埃を取り残さないようにするために、回転ブラシの両側を軸支する一対の軸支部と、この一対の軸支部を覆い被清掃面に接する一対の摺接部と、軸支部の外側に各々設けられた一対の駆動車輪と、回転ブラシとの間に空間部、摺接部との間に通気路が形成された、吸込口本体全幅での掃除ができる吸込口が提案されている（例えば、特許文献１参照）。
【０００４】
また、吸込室に回転可能に設けられて吸込口に配置された回転ブラシと、回転ブラシの軸方向と交差する方向で、吸込具本体の下面側に複数の吸込口を設け、吸込室よりも下流側の位置で連通風路と連通する風路部を備えた吸込具本体が提案されている（例えば、特許文献２参照）。
【先行技術文献】
【特許文献】
【０００５】
【特許文献１】特許第５１３５１１２号公報
【特許文献２】特開２０１７−６０５７４公報
【発明の概要】
【発明が解決しようとする課題】
【０００６】
特許文献１に記載の従来の電気掃除機の吸込具は、回転ブラシの両側を軸支する一対の軸支部と、この一対の軸支部を覆い被清掃面に接する一対の摺接部が設けられているため、被清掃面の拭き掃除は可能だが、この摺接部下面の塵埃は吸込むことは出来ない。さらに、軸支部の外側に各々設けられた一対の駆動車輪が設けられているため、吸込具本体の側面から回転ブラシを有する吸込口までの距離が遠くなる構成となっている。
【０００７】
特許文献２に記載の従来の電気掃除機の吸込具には、回転ブラシが配置された吸込口以外に吸込口が設けられているが、吸込具本体の側面からそれぞれの吸込口までの距離は同様に形成されている。
【０００８】
このように、従来の電気掃除機の吸込具では、吸込具本体の側面からそれぞれの吸込口との間の塵埃を一定の幅で吸込むことができず、壁際の塵埃除去が十分にできないという課題があった。
【０００９】
さらに、壁際の吸込まれない塵埃を清掃するために、吸込具本体の方向を変えたり、サッシノズル等の隅取りに特化した付属品を使用したり、又は電気掃除機以外の掃除用具を使用する必要があり、使用者にとって、取り残した塵埃の清掃に煩わしさがあるという課題があった。
【００１０】
本発明は、以上のような課題を解決するためになされたもので、電気掃除機の吸込具本体両端部（左右）と吸込口との間の塵埃取り残しを低減し、使い勝手のよい電気掃除機の吸込具及びこの吸込具を備えた電気掃除機を提供することを目的とする。
【課題を解決するための手段】
【００１１】
本発明に係る電気掃除機の吸込具は、吸込具本体と、前記吸込具本体の下面側に形成された主吸込口と、前記主吸込口と主風路を介して連通し、風下側に配置される排出部と、前記吸込具本体の下面側に形成され、少なくとも一部が前記主吸込口の長手方向の端部よりも長手方向の外側に形成され、前記主風路とは別の副風路を介して前記排出部と連通する副吸込口とを備えたものである。
【発明の効果】
【００１２】
本発明に係る電気掃除機の吸込具によれば、吸込具本体の下面側に形成された主吸込口と、この主吸込口と主風路を介して連通し、風下側に配置される排出部と、吸込具本体の下面側に形成され、少なくとも一部が主吸込口の長手方向の端部よりも長手方向の外側に形成され、主風路とは別の副風路を介して排出部と連通する副吸込口を備えたので、電気掃除機の吸込具本体両端部（左右）と吸込口との間の塵埃取り残しを低減し、使い勝手のよい電気掃除機の吸込具を提供することができる。
【図面の簡単な説明】
【００１３】
【図１】本発明の実施の形態１に係る電気掃除機の吸込具を電気掃除機本体に接続した状態の電気掃除機を示す斜視図である。
【図２】図１の電気掃除機本体を側面方向から見た断面図である。
【図３】（ａ）本発明の実施の形態１に係る電気掃除機の吸込具を上面方向から見た平面図、（ｂ）本発明の実施の形態１に係る電気掃除機の吸込具を下面方向から見た平面図である。
【図４】（ａ）本発明の実施の形態１に係る電気掃除機の吸込具を前方斜め上から見た斜視図、（ｂ）本発明の実施の形態１に係る電気掃除機の吸込具を後方斜め上から見た斜視図である。
【図５】図３（ａ）のＡ−Ａ線断面を側面方向から見た断面図である。
【図６】図５の円Ｅで囲まれた部分の要部拡大図である。
【図７】図３（ａ）のＢ−Ｂ線断面を側面方向から見た断面図である。
【図８】図７の円Ｆで囲まれた部分の要部拡大図である。
【図９】本発明の実施の形態１に係る電気掃除機の吸込具の、継手管を外し、第１の風路カバーと第２の風路カバーを上方に分解した斜視図である。
【図１０】本発明の実施の形態１に係る電気掃除機の吸込具の、上ケースを第１の風路カバーと第２の風路カバーとともに上方に分解した斜視図である。
【図１１】本発明の実施の形態１に係る電気掃除機の吸込具の、継手管、第１の風路カバー、第２の風路カバーを外した状態の、上面方向から見た平面図である。
【図１２】本発明の実施の形態２に係る電気掃除機の吸込具を下面方向から見た平面図である。
【図１３】本発明の実施の形態３に係る電気掃除機の吸込具において、図１２に示すＣ−Ｃ線断面を後面方向から見た断面図である。
【図１４】図１３の楕円Ｇで囲まれた部分の要部拡大図である。
【図１５】本発明の実施の形態４に係る電気掃除機の吸込具において、吸込具を後方斜め上から見た斜視図である。
【図１６】本発明の実施の形態４に係る電気掃除機の吸込具において、吸込具を後方斜め上から見た斜視図である。
【図１７】本発明の実施の形態５に係る電気掃除機の吸込具において、吸込具を後方斜め上から見た斜視図である。
【発明を実施するための形態】
【００１４】
実施の形態１．
（全体の構成）
図１は本発明の実施の形態１に係る電気掃除機の吸込具を電気掃除機に接続した状態の電気掃除機を示す斜視図である。図２は図１の電気掃除機本体を側面方向から見た断面図である。図１と図２により、本発明の実施の形態１に係る電気掃除機の吸込具が接続される電気掃除機全体の概略構成を説明する。
【００１５】
図１に示すように、本発明の実施の形態１に係る電気掃除機の吸込具１は、延長管２、把持部３、ホース体５を介して電気掃除機本体６と接続されていて、全体として電気掃除機１００が構成される。
【００１６】
電気掃除機本体６の前側には、ホース体５を接続するための接続口７が設けられている。ホース体５を接続口７に接続することで、ホース体５と延長管２及び把持部３を介して接続される吸込具１は、後述する電気掃除機本体６に収容された電動送風機１０が発生させる吸引風により、塵埃を含んだ空気を吸い込むことが可能となる。
【００１７】
また、電気掃除機本体６の上面後方には、ハンドル８が設けられている。これは電気掃除機本体６を持ち運ぶときに使用するためのもので、例えば、樹脂素材で形成されている。また、電気掃除機本体６の前側には、前方から後方に傾斜するように集塵部９が着脱自在に取付けられている。
【００１８】
集塵部９は、図２に示す電気掃除機本体６に収容された電動送風機１０が、把持部３に設けられた操作部４からの入力で駆動することにより発生する吸引風によって、吸込具１から吸い込んだ塵埃を含んだ空気から、塵埃と空気を分離して塵埃を捕集して、集塵するためのものである。
【００１９】
さらに、電気掃除機本体６には電動送風機１０の他、操作部４からの入力で電動送風機１０の駆動、出力増減等を制御するための制御基板１１、電動送風機１０等に、商用電源から電力を供給する電源コードを収納するためのコードリール（図示せず）も収容される。
【００２０】
電気掃除機本体６の接続口７に一端が接続されるホース体５は、蛇腹のような可撓性を有する軟質管で形成されている。ホース体５の他端は、把持部３の一端に接続される。把持部３は吸込具１の移動を操作することと、電気掃除機本体６の取り廻しをするためのものであり、例えば、硬質の樹脂素材で形成されている。
【００２１】
把持部３には前述のように操作部４が設けられている。操作部４は複数の操作スイッチ（図示せず）を有し、これら操作スイッチからの入力を受けて制御基板１１が電動送風機１０を駆動させる。駆動した電動送風機１０が吸引風を発生させることにより、塵埃を含んだ空気を吸い込むことが可能となる。
【００２２】
把持部３の他端は、延長管２の一端に接続される。延長管２は管の軸方向に伸縮構造を有しており、掃除をするとき、必要に応じて伸ばして使用することができるようになっていて、把持部３と同様、例えば、硬質の樹脂素材で形成されている。
【００２３】
延長管２の他端は、吸込具１に接続される。以降、図３から図１０により、本発明の実施の形態１に係る電気掃除機の吸込具の構成について詳しく説明する。
【００２４】
（吸込具の構成）
図３（ａ）は本発明の実施の形態１に係る電気掃除機の吸込具を上面方向から見た平面図、図３（ｂ）は本発明の実施の形態１に係る電気掃除機の吸込具を下面方向から見た平面図である。図４（ａ）は本発明の実施の形態１に係る電気掃除機の吸込具を前方斜め上から見た斜視図、図４（ｂ）は本発明の実施の形態１に係る電気掃除機の吸込具を後方斜め上から見た斜視図である。図５は図３（ａ）のＡ−Ａ線断面を側面方向から見た断面図である。図６は図５の円Ｅで囲まれた部分の要部拡大図である。図７は図３（ａ）のＢ−Ｂ線断面を側面方向から見た断面図である。図８は図７の円Ｆで囲まれた部分の要部拡大図である。図９は本発明の実施の形態１に係る電気掃除機の吸込具の、継手管を外し、第１の風路カバーと第２の風路カバーを上方に分解した斜視図である。図１０は本発明の実施の形態１に係る電気掃除機の吸込具の、上ケースを第１の風路カバーと第２の風路カバーとともに上方に分解した斜視図である。図１１は、本発明の実施の形態１に係る電気掃除機の吸込具の、継手管、第１の風路カバー、第２の風路カバーを外した状態の、上面方向から見た平面図である。なお、それぞれの図において、同じ部分または相当する部分には同じ符号を付し、一部の説明を省略する場合がある。
【００２５】
吸込具１は図３から図５に示すように、横長の吸込具本体２１と継手管２２とで、アルファベットのＴ文字状に構成されている。吸込具本体２１は、例えば、硬質の樹脂素材で形成された下ケース３１、左軸支部３１ａ及び右軸支部３１ｂ、同様に、硬質の樹脂素材で形成された上ケース３０、及び硬質の樹脂素材で形成されて、後述する１対の副風路である第１の副風路、第２の副風路の一部を構成する第１風路カバー３２ａ、第２風路カバー３２ｂとで外郭が構成される。上ケース３０と第１の風路カバー３２ａ及び第２の風路カバー３２ａ、３２ｂが吸込具本体２１の上面を構成する部材となる。左軸支部３１ａ及び右軸支部３１ｂは、後述する回転ブラシ２７の両端を軸支するための部材である。
【００２６】
下ケース３１と上ケース３０の当接部には、例えば、軟質の樹脂素材で形成されたバッファー３３、３３ａ、３４ｂがその外周に取付けられている。バッファー３３、３４ａ、３４ｂは、掃除のときに吸込具１が壁や家具等に当たっても、壁や家具等が傷付かないようにするための保護部である。バッファー３４ａは第１の保護部であり、バッファー３４ｂは第２の保護部であり、バッファー３４ａとバッファー３４ｂとを保護部３４と総称することがある。バッファー３４ａ（第１の保護部）は下面左開口２６ａ（第１の副吸込口）から上方に連なり、吸込具本体２１の外部に露出する部分に設けられる。また、バッファー３４ｂ（第２の保護部）は下面右開口２６ｂ（第２の副吸込口）から上方に連なり、吸込具本体２１の外部に露出する部分に設けられる。このように、副吸込口から上方に連なり、吸込具本体の外部に露出する部分に保護部を設けたので、清掃中に副吸込口の外側が家具等に衝突した場合に、副吸込口の損傷を抑制できる。また、保護部を軟質材で構成したので、清掃中に副吸込口の外側が家具等に衝突した場合に、家具等が傷つくのを抑制できる。さらに、衝突による衝撃を軟質材で構成される保護部が吸収でき、副吸込口が損傷されることを抑制できる。
【００２７】
被清掃面である床面等と対向する吸込具本体２１の下面側には、下面開口２５（主吸込口）が形成されている。下面開口２５は、長手方向における中央から両側の長手方向に亘り形成される。また、吸込具本体２１の下面側で、下面開口２５に対し、継手管の配置される後方側の左右端に、それぞれ、下面左開口２６ａ（第１の副吸込口）及び下面右開口２６ｂ（第２の副吸込口）が設けられている。下面左開口２６ａと下面右開口２６ｂとを副吸込口２６と総称することがある。下面開口２５、下面左開口２６ａ、下面右開口２６ｂは、床面等から塵埃を吸い込むための吸込口である。なお、下面左開口２６ａ、下面右開口２６ｂは、下面開口２５に対し前側に配置してもよい。
【００２８】
下面開口２５の内部には空間があり、その空間には被清掃面から塵埃を掻き上げるための回転ブラシ２７が着脱自在に取付けられている。回転ブラシ２７は、吸込具本体２１の進行方向側（前側）から見て後側の下ケース３１に配置されたモーター３７によって回転力を得ている。
【００２９】
モーター３７の回転力は、まず、モーター３７の回転軸に圧入されたギア（図示せず）からタイミングベルトに伝達される。タイミングベルトに伝達されたモーター３７の回転力は、回転ブラシ２７のギアに伝達されて回転ブラシ２７が回転する。このように回転ブラシ２７が回転することにより被清掃面から塵埃を掻き上げることができ、より清掃性能の向上が図れる。
【００３０】
吸込具本体２１の下面側には、吸込具本体２１の下ケース３１から出没自在のスイッチ３８が設けられている。このスイッチ３８は、回転ブラシ２７を回転させるモーター３７の回転をオン、オフするためのものである。吸込具本体２１が被清掃面から離れるとスイッチ３８は吸込具本体２１の下面から突出してモーター３７がオフし、回転ブラシ２７の回転を停止させ、再び、吸込具本体２１を被清掃面に接触させると、スイッチ３８が下ケース３１内に没してモーター３７がオンし、回転ブラシ２７の回転を開始するようになっている。このように構成することにより、吸込具本体２１が被清掃面に接触しない場合は回転ブラシ２７が回転せず、無駄な電力を消費することを抑制できる。また、使用者が回転中の回転ブラシ２７に触れることが防止できるので、使い勝手がよい。
【００３１】
回転ブラシ２７は、下面開口２５の内部から抜き差し可能に構成されている。図３（ａ）に示す係合解除レバー２８を一方向に回動させると回転ブラシ２７と吸込具本体２１との係合が解除され、係合解除レバー２８ごと矢印Ｅの方向に移動させると引き抜くことができる。
【００３２】
回転ブラシ２７は、吸込具本体２１から引き抜くことで、からまった糸くずや毛髪等の除去が容易となる。また、回転ブラシ２７自体の洗浄ができ、回転ブラシのメンテナンスが容易となる。
【００３３】
次に、回転ブラシ２７を吸込具本体２１取り付けるときは、引き抜いた矢印Ｅの方向と逆の方向に回転ブラシ２７を挿入し、係合解除レバー２８係合が解除された方向と逆方向に回動させると回転ブラシ２７が吸込具本体２１に再び係合される。
【００３４】
また、吸込具本体２１の下面側には、被清掃面をスムーズに移動できるように、下面開口２５の後方に、左右一対の車輪２４ａ、２４ｂが設けられている（図３（ｂ）参照）。清掃中に吸込具１を床面上で横滑りさせる動きも対応できるように、車輪２４ａ、２４ｂには、左右方向に延びる回転軸方向に対して摺動性を持たせている。
【００３５】
吸込具本体２１の外郭は、下面側を構成する下ケース３１と上面側を構成する上ケース３０により構成される。吸込具本体２１の下面側を構成する下ケース３１には、下ケースカバー４０が取付けられている。下ケースカバー４０の上部には、図５に示した、吸込んだ塵埃を含んだ空気を継手管２２へ運ぶ風路の下側を形成する下ケースカバー上４１が位置する。継手管２２は、下面開口２５、下面左開口２６ａ及び下面右開口２６ｂから吸い込んだ空気を吸込具本体２１の外部へ排出する排出部である。
【００３６】
下ケースカバー４０は、爪受け凹部４２と１つ以上のリブ４４を有し、下ケースカバー上４１に設けられた爪４３と前記爪受け凹部４２とが係合し、下ケースカバー上４１の枠体４５が前記リブ４４とで構成された隙間に圧入されることで、下ケースカバー４０と下ケースカバー上４１は仮固定される。仮固定された下ケースカバー４０と下ケースカバー上４１は、下ケース３１に組み込まれ、ネジ（図示せず）により固定される。
【００３７】
下ケースカバー４０には、植毛部材４６が取り付けられている。植毛部材４６は、毛の束である植毛部と、毛の束の根元が固定される植毛部材基部とから構成される。植毛部は、例えばナイロン樹脂を柔軟性のある繊維状にしたものを束ねて形成されている。
【００３８】
植毛部材４６は、下面開口２５の後側（継手管２２側）に取付けられている。植毛部材４６は、床面を拭く、取り残した塵埃を捕捉するという機能があり、フローリングの床面等で効果を奏する。
【００３９】
また、下面開口２５の後側から不要な空気を吸いにくくして、下面開口２５の吸引性能を向上させるという機能もある。後側から不要な空気を吸いにくくするというのは、下面開口２５、回転ブラシ２７の後側に取付けられた植毛部材４６が床面に接触し、後側からの空気の侵入を抑制しているということである。その他に、硬質の樹脂素材で形成された下ケース３１が床面を傷付けないようにするという機能も有する。
【００４０】
植毛部材４６は、下ケースカバー４０の溝４７に挿入し、接着剤を用いて固着している。固着した状態で、植毛部材４６は下ケースカバー４０から床面側に突出している。
【００４１】
次に本発明の実施の形態１の電気掃除機の吸込具における風路に関して説明する。
【００４２】
下面開口２５（主吸込口）から継手管２２（排出部）と連通する主風路は、主風路の上側及び側面を下ケース３１によって、下側を下ケースカバー上４１によって形成されている。そして、図５の矢印で示したように、主風路は、被清掃面から吸込んだ塵埃を含む空気や、回転ブラシ２７により掻き上げられた塵埃を、下面開口２５から仕切り壁５１後ろの空間（吸込み部５２）を通して、継手管２２へ運ぶ構成となっている。
【００４３】
図７に示すように、被清掃面に対して、下ケース３１とバッファー３４ａ（第１の保護部）及びバッファー３４ｂ（第２の保護部）が、それぞれ、下面左開口２６ａ（第１の副吸込口、第１の副風路入口）及び下面左開口２６ｂ（第２の副吸込口、第２の副風路入口）を形成する。また、上ケース３０の上面に形成した凹部３０ａ、３０ｂと第１風路カバー３２ａ、第２風路カバー３２ｂとで、それぞれ、主風路とは別の、第１の副風路及び第２の副風路が構成される。このように構成することにより、凹部を形成しない場合と比較して副風路が上ケース３０の上面から突出する高さを低減することができ、吸込具本体２１を小型化できる。
【００４４】
さらに、上ケース３０の上面には、第１の副風路の出口及び第２の副風路の出口に向かう穴３０ｃ及び穴３０ｄがそれぞれ形成され、穴３０ｃ、３０ｄに対向して、下ケース３１に、第１副風路出口３１ｃ、及び第２副風路出口３１ｄが形成されている。
【００４５】
図７及び図８で示したように、主風路と同様に、主風路とは別の副風路である第１の副風路と第２の副風路は、被清掃面から吸込んだ塵埃を含む空気を、下面左開口２６ａ、下面右開口２６ｂから仕切り壁５１後ろの空間（吸込み部５２）を通して、継手管２２へ運ぶ構成となっている。
【００４６】
このように、主風路、第１の副風路及び第２の副風路は吸込部５２で合流する構成となっている。
【００４７】
次に、下面左開口２６ａ（第１の副吸込口、第１の副風路入口）及び下面右開口２６ｂ（第２の副吸込口、第２の副風路入口）に関して説明する。
【００４８】
下面左開口２６ａ（第１の副吸込口、第１の副風路入口）及び下面右開口２６ｂ（第２の副吸込口、第２の副風路入口）は、下面開口２５（主吸込口）に対し、主吸込口２５の短手方向の一側（前側または後側）に配置される。
【００４９】
図３（ｂ）で示したように、吸込具本体２１の長手方向において、下面開口２５（主吸込口）は、吸込具本体２１の両端部から、それぞれ、距離Ｆ１、距離Ｆ２を有し、この距離Ｆ１、距離Ｆ２の幅で、塵埃を取り残してしまうことがある。
【００５０】
そのため、図３（ｂ）で示したように、吸込具本体２１の長手方向略中央に位置する下面開口２５（主吸込口）に対して、下面左開口２６ａ（第１の副吸込口）、下面右開口２６ｂ（第２の副吸込口）は、少なくともその開口の一部が、下面開口２５（主吸込口）の後方及び吸込具本体２１の長手方向の両端部付近で、下面開口２５の長手方向の両側端部の外側の領域に設けられる。つまり、図３（ｂ）の例では、下面開口２５の長手方向において、下面左開口２６ａ（第１の副吸込口）の横幅は、距離Ｆ１よりも長く、下面左開口２６ａ（第１の副吸込口）は、少なくとも距離Ｆ１の領域を含むように設けられる。一方、下面右開口２６ｂ（第２の副吸込口）の横幅は、距離Ｆ２と同等である。このように、下面開口２５の長手方向において、下面左開口２６ａ（第１の副吸込口）及び下面右開口２６ｂ（第２の副吸込口）の幅は、距離Ｆ１、距離Ｆ２と同等、若しくは大きく形成される。
【００５１】
このように、副吸込口は、主吸込口に対し、主吸込口の短手方向の一側、つまり、前側または後側に配置されるので、主吸込口と副吸込口が平面視で重複せず、それぞれの吸込口からの塵埃の吸引性能を独立して設計でき、設計の自由度が高まる。
【００５２】
また、副吸込口は、主吸込口の長手方向の両側に複数形成されるので、例えば、吸込具の前進方向に対して壁が右側にある場合と左側にある場合でも、吸込具の方向を変えることなく、壁際の塵埃の取り残しを低減できる。
【００５３】
そして、回転ブラシ２７の回転軸と交差する方向、すなわち、吸込具本体２１の短手方向の下面左開口２６ａ、下面右開口２６ｂの幅Ｇ１、Ｇ２は、米粒が吸い込める２.０ｍｍ以上が好ましい。
【００５４】
次に、第１の副吸込口２６ａ及び第２の副吸込口２６ａを構成する部品の一部である、バッファー３４ａ（第１の保護部）、バッファー３４ｂ（第２の保護部）に関して説明する。
【００５５】
バッファー３４ａ、バッファー３４ｂは、掃除のときに吸込具１が壁や家具等に当たっても、それらが傷付かないようにするためのものであると同時に、下面左開口２６ａ（第１の副吸込口）、下面右開口２６ｂ（第２の副吸込口）からの吸引風の風力を調整するためのものでもある。
【００５６】
下面左開口２６ａ（第１の副吸込口）、下面右開口２６ｂ（第２の副吸込口）から吸込まれる塵埃を含む空気の気流を整流して、吸込み易くするため、図８に示したように、バッファー３４ａ（第１の保護部）、バッファー３４ｂ（第２の保護部）の被清掃面と対向する端部にＣ面５５が設けられている。
【００５７】
このように、保護部の下端で外部に露出する側をＣ面で形成したので、下面左開口２６ａ（第１の副吸込口）、下面右開口２６ｂ（第２の副吸込口）から吸込まれる塵埃を含む空気の気流を整流して、吸込み易くなる。また、副吸込口の下端の面積が小さくなるとともに、被清掃面上に凹凸がある場合、保護部が凸の部分を容易に乗り越えることができるので、使用者が吸込具本体１を復路に操作した時、吸込具の操作抵抗が軽減される効果がある。
【００５８】
さらに、図８に示した、バッファー３４ａ、バッファー３４ｂの下端と、バッファー３４の吸込具本体２１の内部側と対向する下ケース３１の下端までの距離Ｄを設け、バッファー３４ａ、バッファー３４ｂを、たわみ易い構成とすることで、使用者が吸込具本体１を往復操作した時、操作抵抗が軽減される。
【００５９】
そして、図８に示した、バッファー３４ａ（第１の保護部）の下端、及び、バッファー３４ｂ（第２の保護部）の下端と被清掃面との距離Ｃは、１．０ｍｍから２．０ｍｍの範囲に設定される。なお、最適な距離Ｃは、電気掃除機本体６、電動送風機１０、吸込具本体２１、下面左開口２６ａ、下面右開口２６ｂの開口面積や形状に依存して変化する。
【００６０】
次に、下面左開口２６ａ（第１の副吸込口、第１の副風路入口）及び下面右開口２６ｂ（第２の副吸込口、第２の副風路入口）から、それぞれ、第１の副風路出口及び第２の副風路出口までの関係について説明する。
【００６１】
下面左開口２６ａ（第１の副吸込口、第１の副風路入口）及び下面右開口２６ｂ（第２の副吸込口、第２の副風路入口）と、下ケース３１に形成された第１の副風路出口及び第２の副風路出口の面積の関係は次の関係を有する。
下面左開口２６ａ（第１の副吸込口、第１の副風路入口）の面積Ｆ１×Ｇ１は、第１の副風路の任意の位置の断面積及び第１の副風路の出口の面積以下である。
下面右開口２６ｂ（第２の副吸込口、第２の副風路入口）の面積Ｆ２×Ｇ２は、第２の副風路の任意の位置の断面積及び第２の副風路出口の面積以下である。
【００６２】
このように、副風路の断面積は副吸込口の入口面積以上なので、副吸込口から吸い込まれた塵埃が副風路の途中、又は出口で詰まることが抑制でき、吸込み性能を維持できる。
【００６３】
また、上記の断面積の関係を保てば、第１の副風路及び第２の副風路の断面形状が互いに異なっていてもよく、左右非対称でもよい。
【００６４】
また、第１の副風路及び第２の副風路を構成する第１風路カバー３２ａと第２風路カバー３２ｂを取り外し可能な構成としてもよい。上記で説明してきたように、第１の副風路及び第２の副風路内で塵埃が詰まることが抑制できるが、塵埃が詰まった場合、第１風路カバー３２ａまたは第２風路カバー３２ｂを吸込具本体２１の上面から取り外すことにより、詰まった塵埃を取り除くことができる。また、副風路内の清掃が容易となり、メンテナンス性が向上する。
【００６５】
本発明の実施の形態１では、図７で示したように、第２風路カバー３２ａには、前側爪６１ａ、後側爪６１ｃが、同様に、第２風路上カバー３２ｂには、前側爪６１ｂ、後側爪６１ｄが設けられている。
【００６６】
上ケース３０には、左前側爪受け部６２ａ、左後側爪受け部６２ｃが、同様に、右前側爪受け部６２ｂ、右後側爪受け部６２ｄが設けられている。
【００６７】
まず、第１風路カバー３２ａの前側爪６１ａを上ケース３０の左前側爪受け部６２ａに引っ掛け、次に、第１風路カバー３２ａの後側爪６１ｃを上ケース３０の左後側爪受け部６２ｃに嵌め、同様に、第２風路上カバー３２ｂの前側爪６１ｂを上ケース３０の左前側爪受け部６２ｂに引っ掛け、次に、第１風路カバー３２ａの後側爪６１ｄを上ケース３０の左後側爪受け部６２ｄに嵌める構造となっている。
【００６８】
そのため、上記の爪を外すことで、第１風路カバー３２ａと第２風路カバー３２ｂをケース３０から取り外すことができ、第２の風路及び第３の風路の清掃を可能とした。
【００６９】
以上のように本発明の実施の形態１に係る電気掃除機の吸込具によれば、主吸込口を経由して被清掃面から吸込まれなかった塵埃を含む空気を、第１の副吸込口、第２の副吸込口を設けることで吸込むことができ、下面開口２５（主吸込口）の長手方向、すなわち、吸込具本体２１の長手方向全幅で、被清掃面の塵埃を取り除くことができる。そのため、被清掃面の塵埃の取り残しを抑制でき、使い勝手のよい電気掃除機が得られる。
【００７０】
また、第１の副風路、第２の副風路を構成する、第１風路カバー３２ａ、第２風路カバー３２ｂを上ケース３０から取り外し可能な構造とすることで、第１の副風路、第２の副風路を容易に清掃することができる。
【００７１】
このように、実施の形態１に係る電気掃除機の吸込具及びこの吸込具を用いた電気掃除機は、吸込具本体と、吸込具本体の下面側に形成された主吸込口と、主吸込口と主風路を介して連通し、風下側に配置される排出部と、前記吸込具本体の下面側に形成され、少なくとも一部が主吸込口の長手方向の端部よりも長手方向の外側に形成され、主風路とは別の副風路を介して排出部と連通する副吸込口と、を備えたので、電気掃除機の吸込具本体両端部（左右）と主吸込口との間の塵埃取り残しを低減することができる。
【００７２】
また、副吸込口は、主吸込口に対し、主吸込口の短手方向の一側、つまり、前側または後側に配置されるので、主吸込口と副吸込口が平面視で重複せず、それぞれの吸込口からの塵埃の吸引性能を独立して設計でき、設計の自由度が高まる。
【００７３】
また、副吸込口は、主吸込口の長手方向の両側に複数形成されるので、例えば、吸込具の前進方向に対して壁が右側にある場合と左側にある場合でも、吸込具の方向を変えることなく、壁際の塵埃の取り残しを低減できる。
【００７４】
また、副風路の断面積は副吸込口の入口面積以上なので、副吸込口から吸い込まれた塵埃が副風路の中で詰まることが抑制できる。
【００７５】
また、副風路は、吸込具本体の上面とこの上面を覆う風路カバーとで構成したので、吸込具本体内に副風路を設ける必要がなく、副風路を配置するスペースの選択が容易となり、設計の自由度が高まる。
【００７６】
また、風路カバーは吸込具本体の上面から着脱自在に構成したので、副風路に塵埃が詰まった場合でも風路カバーを取り外して、詰まった塵埃の除去が容易になる。また、副風路の清掃が容易となりメンテナンス性が向上する。
【００７７】
また、副吸込口から上方に連なり、吸込具本体の外部に露出する部分に保護部を設けたので、清掃中に副吸込口の外側が家具等に衝突した場合に、副吸込口の損傷を抑制できる。
【００７８】
また、保護部の下端で外部に露出する側をＣ面で形成したので、下面左開口２６ａ（第１の副吸込口）、下面右開口２６ｂ（第２の副吸込口）から吸込まれる塵埃を含む空気の気流を整流して、吸込み易くなる。また、副吸込口の下端の面積が小さくなり、吸込具の操作抵抗が軽減される。
【００７９】
また、保護部を軟質材で構成したので、清掃中に副吸込口の外側が家具等に衝突した場合に、家具等が傷つくのを抑制できる。さらに、衝突による衝撃を軟質材で構成される保護部が吸収でき、副吸込口が損傷されることを抑制できる。
【００８０】
実施の形態２．
本発明の実施の形態２に係る電気掃除機は、本発明の実施の形態１に係る電気掃除機と吸込具の一部構成が異なる。吸込具を除く他の構成は本発明の実施の形態１に係る電気掃除機と同様の構成である。よって、ここでは本発明の実施の形態１に係る電気掃除機と異なる箇所について説明し、それ以外の説明は省略する。
図１２は、本発明の実施の形態２に係る電気掃除機の吸込具を下面方向から見た平面図である。
【００８１】
本発明の実施の形態２に係る電気掃除機が本発明の実施の形態１に係る電気掃除機と異なる箇所は、図１２に示すように、下面左開口２６ａ（第１の副吸込口）、下面右開口２６ｂ（第２の副吸込口）に、それぞれ、粗大ごみ侵入防止部材６３を設けたことである。粗大ごみ侵入防止部材６３として、例えば、下面左開口２６ａ（第１の副吸込口）に設けられる第１の格子６３ａ、下面左開口２６ｂ（第２の副吸込口）に設けられる第２の格子６３ｂである。それぞれの格子は複数本設けてもよい。また、粗大ごみ侵入防止部材６３を設ける位置は、副吸込口２６に限らず、副吸込口２６の下流側の近傍に設けてもよい。
【００８２】
このように、実施の形態２に係る電気掃除機の吸込具及びこの吸込具を用いた電気掃除機は、副吸込口または副吸込口の下流側の近傍に粗大ごみ侵入防止部材を配置したので、副吸込口から吸い込まれた塵埃が副風路の中で詰まることが抑制できる。また、副吸込口の断面積と副風路の断面積とを自由に設定でき、風路設計の自由度が高まる。
【００８３】
実施の形態３．
本発明の実施の形態３に係る電気掃除機の吸込具は、本発明の実施の形態１に係る電気掃除機の吸込具と一部構成が異なるものであり、ここでは異なる構成について説明し、それ以外の説明は省略する。
図１３は、本発明の実施の形態３に係る電気掃除機の吸込具において、図１２に示すＣ−Ｃ線断面を後面方向から見た断面図である。図１４は、図１３の楕円Ｇで囲まれた部分の要部拡大図である。
【００８４】
本発明の実施の形態３に係る電気掃除機の吸込具が本発明の実施の形態１に係る電気掃除機の吸込具と異なる構成は、第１風路カバー３２ａと第２風路カバー３２ｂをケース３０に、接着や溶着してとめることで、第２風路及び第３の風路を構成した。
【００８５】
そのため、図１４に示すように、本発明の実施の形態１で記載した、爪（６１ａ、６１ｂ、６１ｃ、６１ｄ）と爪受け部（６２ａ、６２ｄ、６２ｃ、６２ｄ）との嵌めあいと比べ、第２風路及び第３風路のシール性が向上する。
【００８６】
よって、本発明の実施の形態３に係る電気掃除機は、被清掃面からの吸込み性能向上が期待できる。
【００８７】
実施の形態４．
本発明の実施の形態４に係る電気掃除機の吸込具は、保護部であるバッファーに、下端から上方向に延びる溝またはスリットを形成した点が実施の形態１と異なる。
図１５は、本発明の実施の形態４に係る電気掃除機の吸込具において、吸込具を後方斜め上から見た斜視図である。図１６は、本発明の実施の形態４に係る電気掃除機の吸込具において、吸込具を後方斜め上から見た斜視図である。
【００８８】
図１５に示すように、バッファー（第１の保護部）、３４ｂ  バッファー（第２の保護部）の後面には、それぞれ、下端から上方向に延びるスリット７０が形成されておる。図１５ではスリット７０が２本の例を示すが、これに限定するものでなく、１本でもよいし、３本以上の複数であってもよい。
【００８９】
また、図１６に示すように、バッファー（第１の保護部）、３４ｂ  バッファー（第２の保護部）の側面には、それぞれ、下端から上方向に延びる溝７１が形成されておる。図１６では溝７１が１本の例を示すが、これに限定するものでなく、複数であってもよい。
【００９０】
このように、保護部に下端から上方向に延びる溝を側面に形成したので、壁際の塵埃を効率よく吸い込むことができる。また、保護部に下端から上方向に延びるスリットを形成したので、保護部が弾性変形しやすくなり、清掃中に副吸込口の外側が家具等に衝突した場合に、衝突による衝撃を弾性変形しやすい保護部が吸収でき、副吸込口が損傷されることを抑制できる。さらに、吸込具を後退させたときの操作抵抗を軽減することができる。
【００９１】
実施の形態５．
本発明の実施の形態５に係る電気掃除機の吸込具は、保護部であるバッファーに、ローラー８０を設けた点が、実施の形態４と異なる。
図１７は、本発明の実施の形態５に係る電気掃除機の吸込具において、吸込具を後方斜め上から見た斜視図である。
【００９２】
図１７に示すように、バッファー（第１の保護部）、３４ｂ  バッファー（第２の保護部）には、それぞれ、ホイール８０が設けられている。図１７ではホイール８０が１個の例を示すが、これに限らず、複数設けてもよい。
【００９３】
このように、また、保護部にホイールを設けたので、実施の形態４に記載のスリット以上に操作抵抗を軽減できる効果がある。また、吸込具本体の底面の被清掃面からの高さをより安定させることが可能となり、吸込口での真空度が安定する効果がある。
【００９４】
なお、実施の形態１から実施の形態５に係る電気掃除機の吸込具について、適宜組み合わせて構成してもよい。
【００９５】
１  吸込具、２  延長管、３  把持部、４  操作部、５  ホース体、６  電気掃除機本体、７  接続口、８  ハンドル、９  集塵部、１０  電動送風機、１１  制御基板、２１  吸込具本体、２２  継手管（排出部）、２４ａ  車輪、２４ｂ  車輪、２５  下面開口（主吸込口）、２６  副吸込口、２６ａ  下面左開口（第１の副吸込口）、２６ｂ  下面右開口（第２の副吸込口）、２７  回転ブラシ、２８  係合解除レバー、３０  上ケース、３０ａ  凹部、３０ｂ  凹部、３０ｃ  穴、３０ｄ  穴、３１  下ケース、３１ａ  左軸支部、３１ｂ  右軸支部、３１ｃ  第１副風路出口、３１ｄ  第２副風路出口、３２ａ  第１風路カバー、３２ｂ  第２風路カバー、３３  バッファー、３４  保護部、３４ａ  バッファー（第１の保護部）、３４ｂ  バッファー（第２の保護部）、３７  モーター、３８  スイッチ、４０  下ケースカバー、４１  下ケースカバー上、４２  爪受け凹部、４３  爪、４４  リブ、４５  下ケースカバー上４１の枠体、４６  植毛部材、４７  下ケースカバー４０の溝、５０  回転ブラシ室、５１  仕切り壁、５２  吸込み部、５５  Ｃ面、６１ａ  第１風路上カバー３２ａ前側爪、６１ｂ  第３風路上カバー３２ｂ前側爪、６１ｃ  第２風路上カバー３２ａ後側爪、６１ｄ  第３風路上カバー３２ｂ後側爪、６２ａ  上ケース３０左前側爪受け、６２ｂ  上ケース３０右前側爪受け、６２ｃ  上ケース３０左後側爪受け、６２ｄ  上ケース３０右後側爪受け、６３  粗大ごみ侵入防止部材、６３ａ  第１の格子、６３ｂ  第２の格子、７０  スリット、７１  溝、８０  ホイール、１００  電気掃除機。
【図１】
2020000563.tif 000003
【図２】
2020000563.tif 000004
【図３】
2020000563.tif 000005
【図４】
2020000563.tif 000006
【図５】
2020000563.tif 000007
【図６】
2020000563.tif 000008
【図７】
2020000563.tif 000009
【図８】
2020000563.tif 000010
【図９】
2020000563.tif 000011
【図１０】
2020000563.tif 000012
【図１１】
2020000563.tif 000013
【図１２】
2020000563.tif 000014
【図１３】
2020000563.tif 000015
【図１４】
2020000563.tif 000016
【図１５】
2020000563.tif 000017
【図１６】
2020000563.tif 000018
【図１７】
2020000563.tif 000019